(57)【特許請求の範囲】
【請求項１】
ビル設備と昇降機の管理装置において、エレベーターホール及び／又はエレベーター乗りかご内に設置された表示装置と、この表示装置の近傍に設置され前記表示装置への表示要求を入力するための入力装置と、ビル設備の状態変化を記録する履歴データベースと、前記表示装置の表示内容を制御する表示制御装置と、ビル設備・機器の異常時に、異常への対応方法を受信する手段と、修理完了について入力操作する手段と、前記修理完了時の入力操作を受けて、前記履歴データベースの記録内容を更新する手段とを備え、
前記表示制御装置は、前記ビル設備の異常時に、この異常への対応作業中であることを前記表示装置により住人等の利用者に認識可能に表示させ、かつ、前記修理完了時の入力操作を受けて、前記表示装置により住人等の利用者に認識可能に修理完了を表示させ、さらに、前記入力装置から前記履歴データベースの内容の表示要求が入力されたことに応じて前記表示装置により住人等の利用者に認識可能に前記履歴データベースの記録内容を表示させるように構成されたことを特徴とするビル設備と昇降機の管理装置。
【請求項２】
請求項１において、前記表示装置は、前記履歴データベースの記録内容を表示する情報表示エリアと、エレベーターの位置と進行方向を表示するエレベーター情報エリアと、前記入力装置の操作方法を説明する操作方法説明エリアとを備えたことを特徴とするビル設備と昇降機の管理装置。
【発明の詳細な説明】
【０００１】
【発明の属する技術分野】
本発明は、ビル設備と昇降機の管理方法及び管理装置に係り、特に、ビル、中でもマンションのエレベーターホールやエレベーター乗りかご内などのように、ビル内において住人等が共有する部位（以下、共有部という）に設置された表示装置を用いて、ビル設備の状態変化、稼動状況の履歴などを確認するために好適な管理方法及び管理装置に関する。
【０００２】
【従来の技術】
エレベーターは、ビル内の輸送を担当する主要なビル設備であり、その機能を維持するために定期的な保守点検が施されている。さらに最近では、異常監視装置を備えて、異常状態及び異常になる前の予兆を検出し、遠隔の監視センタに発報するといったことも行われている。
【０００３】
エレベーターの状態履歴情報に関して、特開平４−３１３５８１号公報には、エレベーターシステム内に発生する故障、警報等の各種履歴を記録し蓄積する監視装置が開示され、また、特開平８−３１０７６０号公報には、保守員の携帯用端末機に修理履歴を表示、印刷する装置が開示されている。
【０００４】
エレベーター状態の監視センタからの確認に関して、特開２０００−０９０３７４号公報には、エレベーター制御回路の現在の動作信号を保守管理センターに表示して把握する技術が開示されている。
【０００５】
エレベーターの保守実施の監視センタからの確認方法に関して、特開平１１−２７２９７２号公報には、遠隔監視端末装置にカードを挿入すれば保守点検作業中、カードを抜き出すと保守点検作業の終了を監視センタに送信する技術が開示されている。
【０００６】
また、エレベーターホール及び／又はエレベーター乗りかご内に表示装置を設けることは、例えば特開２００１−０３１３４４号公報、特開２００１−１０６４５０号公報等に、エレベーターの運行状態や保守日、故障状態に関する情報を特定の釦操作の組合せで実現する表示装置が開示されている。
【０００７】
ビル内設備及びビル関連設備には、エレベーターをはじめ、電源設備、ポンプ・水道設備、照明、空調、入退出管理装置、玄関ドア、防災設備、防犯カメラ、駐車場設備など多種の設備がある。これらの設備は個別に制御装置を備え、やはり個別に監視装置や異常発報装置を備えている。
【０００８】
【発明が解決しようとする課題】
多くのビル内設備及びビル関連設備が、個別に制御装置や監視装置や異常発報装置を備えているため、ほぼ同様の機能を複数のビル設備が重複して備えることとなり、その重複による無駄が解決すべき課題となっており、ビル全体としての管理効率の向上を図る必要性が高まっている。
【０００９】
しかし一方で、監視装置や異常発報装置、遠隔監視センタの進展は、ビル設備の故障の発生から修理作業までの時間を短縮し、その結果、例えばマンションの住人など、身近な設備に故障や修理作業があったこと自体、認識できなくなってきている。このため、マンション管理費等の支出と保守、修理等との関連が希薄に感じられることとなってきている。
【００１０】
本発明の第一の目的は、住人へビル設備の状態、故障、修理等の情報を提供し易くしたビル設備の管理方法及び管理装置を提供することである。
【００１１】
さらに、多様なビル設備に共通の管理装置を提供することは、単一の企業のみで行うことは困難となり、複数の企業、委託先との共同による保守、修理サービスを提供することとなる。しかし複数の会社、多数の作業者によるサービス提供は、会社、作業者により提供できる技術レベルに差異があるため、常に高度なサービスを保証することの障害となりかねない。前記特開平１１−２７２９７２号公報では、監視センタから保守点検作業中、保守点検作業終了が確認できるだけであり、住人に対して点検の情報を提供するという考え方がなく、また、複数の会社、多数の作業者のサービスレベル把握についても考慮されていない。
【００１２】
本発明の第二の目的は、複数の会社、多数の作業者によるサービスのレベル把握と、住人への高度なサービス提供に好適なビル設備管理方法及び装置を提供することである。
【００１３】
【課題を解決するための手段】
本発明は、その一面において、ビル設備の故障、修理等の情報を記録する設備状態履歴データベースと、住人が容易に認識可能なエレベーターホール及び／又はエレベーター乗りかご内といったビル内の共有部に設置した表示装置と、この表示装置での表示の要求を入力するための入力装置とを備え、この入力要求に応じて表示装置に設備状態を表示することを特徴とする。
【００１４】
本発明は、他の一面において、ビル毎に設置される管理装置と、エレベーターホール及び／又はエレベーター乗りかご内に設置される表示装置と入力装置と、複数のビルの管理装置と接続される監視センタと、この監視センタに接地され作業者毎の作業者別データベースとを備え、入力装置を介して、ビル設備に対する作業内容が入力されて作業者別データベースを更新する手段を備えたことを特徴とする。
【００１５】
本発明によるその他の多くの特徴は、以下に述べる実施の形態において明らかにする。
【００１６】
【発明の実施の形態】
以下、本発明の一実施の形態を図面により説明する。
【００１７】
図１は、本発明の一実施の形態におけるビル設備と昇降機の管理装置のシステム構成図である。システムの主要構成装置は、管理装置１０、表示装置１５、入力装置１６、エレベーター制御装置２０と各種のビル設備制御装置３０、監視センタ４０である。
【００１８】
管理装置１０には、後述する各種処理を実施する管理コントローラ１１、ビル設備の状態変化を記録する設備状態履歴データベース１２を備える。管理装置１０と各種制御装置は設備管理ネットワーク１３で接続される。
【００１９】
住人が容易に認識可能なエレベーターホール及び／又はエレベーター乗りかご内といったビル内の共有部に設置した表示装置１５の表示内容は、表示制御装置１４により制御される。また表示装置１５の近傍には入力装置１６が設置される。図１の例では、エレベーター乗りかご２１内の行き先階釦２２、エレベーターホールのホール呼び釦２３が、入力装置１６を兼用している。
【００２０】
また、ビル設備には、電源設備３１、ポンプ・水道設備３２、照明３３、空調３４、入退出管理装置３５、玄関ドア３６、防災設備３７、防犯カメラ３８、駐車場設備３９などがある。各ビル設備毎にビル設備制御装置３０が設けられるが、例えば照明３３と空調３４のように共通のビル設備制御装置３０で制御されたり、玄関ドア３６のように入退出管理装置３５といった他のビル設備に接続されたり、あるいは防災設備３７のように固有のビル設備制御装置３０を持たないもの等、多様な接続ケースがある。
【００２１】
監視センタ４０には、後述する監視センタ側の処理を実施する遠隔監視コントローラ４１、設備状態履歴データベース１２に対応するビル設備別データベース４２、また作業者別データベース４３があり、管理装置１０とは通信回線４４で接続される。
【００２２】
図２は、本発明の一実施の形態におけるビル設備と昇降機の管理方法の概要を説明する図である。図２では、時間経過に従って各装置、手段、あるいは住人、作業者がどのような動作を行うかを示している。
【００２３】
ビル設備・機器に異常が発生すると、異常検知信号が管理装置１０に出力され、また住人に異常の影響がでる。管理装置１０は、異常検知信号を受けると、監視センタ４０に異常を発報するとともに、表示装置１５に異常発生を表示させ、住人に異常発生を視認あるいは聴覚にて認識させる。監視センタ４０は、異常発報を受信すると異常状態を分析し、必要により作業者に出動を指示するとともに、管理装置１０に出動連絡あるいは異常への対応方法を送信する。管理装置１０は、出動連絡あるいは異常への対応方法を受信すると、表示装置１５に進捗状況、作業中を表示させ、住人に、異常に対して対応中であることを視認可能とする。監視センタ４０からの出動指示を受けた作業者は、該当のビルへ出動し、修理作業を行う。作業者の修理作業によりビル設備・機器が正常化すると、住人への異常の影響がなくなり、正常復帰する。修理が完了した作業者は、入力装置１６に対して修理完了時の入力操作を行う。この入力を受けて管理装置１０は設備状態履歴データベース１２の内容を更新し、表示装置１５に対して修理完了を表示させ、住人が異常の修理が完了したことを視認可能とする。修理完了のデータは管理装置１０から監視センタ４０へ送信され、監視センタ４０は修理の評価を行うとともに、ビル設備別データベース４２、作業者別データベース４３を更新して、作業者又はその所属する保守会社等の事業体への費用の支払い手続き処理を行う。
【００２４】
以上により、異常発生からの一連の処理を完了する。
【００２５】
また、上記にかかわらず、住人はビル設備・機器の状態変化に関する設備状態履歴データベース１２の内容を確認可能である。すなわち、履歴を確認したい住人が、履歴確認操作として、入力装置１６を操作すると、設備状態履歴データベース１２が参照され、管理装置１０は表示装置１５に履歴データを表示させ、住人に、ビル設備・機器の状態変化を視認可能とする。
【００２６】
以下、上記した処理のプログラム例をフローチャートにより説明する。
【００２７】
図３は、設備管理処理１００のプログラム例を示す図である。設備管理処理１００は、管理装置１０の管理コントローラ１１で実行される処理である。以下の処理プログラムと同様に、プログラムの起動停止は、図示しないオペレーションシステムの動作により、定期的にあるいは割り込み信号により必要に応じて行われるものとする。
【００２８】
ステップ１００−１で設備の異常を検知すると、ステップ１００−２で監視センタ４０へ異常を発報し、ステップ１００−３で表示装置１５に異常状態を表示させる。ステップ１００−４で監視センタ４０の応答を待ち、応答があればステップ１００−５で表示装置１５に応答内容又は進捗状況を表示させる。応答内容又は進捗状況については後述する。
【００２９】
監視センタ４０からの応答信号からステップ１００−６で修理・点検があると判定された場合には、後述の修理中処理１１０のサブルーチンへ移行する。
【００３０】
修理中処理１１０の処理が終了した場合、又はステップ１００−１で設備に異常が検知されなかった場合、並びにステップ１００−６で修理・点検がないと判定された場合には、「異常」に関連する表示を行うかの判定に関わるステップ１００−７以下の処理へ進む。ステップ１００−７では、「異常」に関連する表示を行っているかを確認する。「異常」に関連する表示とは、ステップ１００−３、１００−５の異常状態が継続中である旨の表示、あるいは後述する修理中処理１１０で修理完了時のステップ１１０−７で表示する修理完了に関する表示をいう。ステップ１００−７で「異常」に関連する表示を行っている場合には、ステップ１００−８で表示の終了条件を確認する。表示の終了条件とは、例えば修理完了表示から３日間が経過した、といった表示時間満了によるものであったり、あるいは修理完了の表示を見た住人が入力装置１６を介して入力する完了の確認、表示の終了を指示する入力指令などであり、ビルの状況にあわせて任意に設定可能である。
【００３１】
ステップ１００−８で異常表示の終了条件が成立しない場合には、異常表示を継続するため、以下のステップを行わず設備管理処理１００を終了する。ステップ１００−８で異常表示の終了条件が成立した場合には、ステップ１００−９で「異常」関連表示を終了する。ステップ１００−７で「異常」に関連する表示を行っていない場合、又はステップ１００−９で「異常」関連表示を終了した場合には、ステップ１００−１０で表示装置１５に通常の表示内容の表示を指示し、設備管理処理１００を終了する。
【００３２】
図４は、修理中処理１１０のプログラム例を示す図である。前述ステップ１００−６で修理・点検があると判定された場合には、ステップ１１０−１で作業者による入力装置１６からの修理開始操作の入力待ち状態となる。ステップ１１０−１で作業者による修理開始操作の入力があり、ステップ１１０−２でその操作者の識別コード入力が正規のコードと一致した場合には以下の処理へ進む。
【００３３】
ステップ１１０−３では、ビル設備の故障、修理に必要な情報を表示装置１５へ表示させる。ステップ１１０−４では、ビル設備の修理に関する作業指示があれば表示装置１５へ表示させる。このステップ１１０−３、１１０−４は、作業者に対する管理装置１０、監視センタ４０からの作業支援となる。
【００３４】
ステップ１１０−５は作業者による修理完了の入力待ち状態であり、完了入力があればステップ１１０−６で管理装置１０が異常をきたしたビル設備・機器の状態をチェックして修理がＯＫか確認する。修理の確認がＯＫとなるまでは、ステップ１１０−３へ戻り、前述の処理を繰り返す。ステップ１１０−６で修理の完了が確認されれば、ステップ１１０−７で表示装置１５に修理完了を表示させる。ステップ１１０−８では修理の完了に伴い、設備状態履歴データベース１２を更新し、ステップ１１０−９では監視センタ４０へ修理の完了に関するデータ（作業者からの入力と、管理装置１０での設備状態確認データ）を送信し、修理中処理１１０から設備管理処理１００へ復帰する。
【００３５】
図５は、監視センタでの異常分析処理２００のプログラム例を示す図である。前述ステップ１００−２による監視センタ４０への通報を受け、監視センタ４０では異常分析処理２００が起動される。ステップ２００−１で設備異常の発報を受信すると、ステップ２００−２でその異常が瞬時停電など一過性のものであるかを確認する。ステップ２００−２で異常が一過性のものである場合には、ステップ２００−３で現在が正常であるかを確認する。ステップ２００−３で現在が正常の場合には、特に修理、点検が必要ないので、ステップ２００−４で「一過性異常、正常復帰」の表示指示を選択しＢへジャンプする。
【００３６】
ステップ２００−３で現在が正常でない場合、あるいはステップ２００−２で異常が一過性のものでない場合には、ステップ２００−５で監視センタ４０からの遠隔操作で修正が可能であるかを確認する。遠隔操作で修正とは、プログラムの一時的なデータ異常などで、遠隔操作で書き換えるなどの操作により修正することを指す。ステップ２００−５で遠隔操作での修正が可能な場合には、ステップ２００−６で遠隔の修正操作を実施し、ステップ２００−７で正常に復帰したかを確認する。ステップ２００−７で正常に復帰した場合には、ステップ２００−８で「異常、遠隔操作により正常復帰」の表示指示を選択しＢへジャンプする。
【００３７】
ステップ２００−７で正常に復帰できなかった場合、あるいはステップ２００−５で遠隔操作での修正が可能でない場合には、ステップ２００−９で作業者の出動により修理が必要な異常であるかを確認する。異常が軽微で作業者の出動は必要ない場合には、ステップ２００−１０で「軽微な異常、次回点検で対策」の表示指示を選択する。ステップ２００−９で作業者の出動が必要である場合には、ステップ２００−１１で作業者が自社か他社かを確認し、自社の場合にはステップ２００−１２で出動指示の表示を行う。ステップ２００−１１で他社の場合には、作業者別データベース４３を参照して委託する会社、作業者を選択して、ステップ２００−１３で出動依頼を指示する。その後、ステップ２００−１４で「異常、出動指示済み」の表示指示を選択する。
【００３８】
このように、異常分析処理２００では、ステップ２００−４、２００−８、２００−１０、又は２００−１４のいずれかで対応方法が決定したので、ステップ２００−１５で、表示指示のデータを管理装置１０へ送信する。その後、ステップ２００−１６でビル設備別データベース４２を更新し、ステップ２００−１７で作業者別データベース４３を更新する。
【００３９】
図６は、監視センタでの修理完了時処理２１０のプログラム例を示す図である。前述異常分析処理２００で作業者の出動を指示した場合には、修理完了時処理２１０のステップ２１０−１で管理装置１０からの修理完了データの受信待ち状態となる。ステップ２１０−１で修理完了データを受信すると、ステップ２１０−２でビル設備別データベース４２を更新する。次にステップ２１０−３で修理の評価を行う。この修理の評価は、異常自体の難易度、出動指示から作業完了までの作業時間の長短であったり、修理完了となるまでの繰り返し数などを項目として評価し、評価採点と支払い金額を決定するものである。ステップ２１０−４では評価結果により作業者別データベース４３を更新する。ステップ２１０−５では委託会社、作業者に対する支払い処理を行う。
【００４０】
以上、図３から図６の処理により、異常に対応する管理装置１０、監視センタ４０の一連の処理を完了する。
【００４１】
図７は、履歴確認処理１２０のプログラム例を示す図である。住人はビル設備・機器の状態変化に関する設備状態履歴データベース１２の内容を確認可能である。ステップ１２０−１で履歴確認の開始操作があり、ステップ１２０−２でその操作者識別コードが正規のものである場合には、履歴データの表示装置１５への表示が可能である。ステップ１２０−３では、表示の対象となる履歴データのリストを表示する。ステップ１２０−４で詳細情報の表示の指示入力が行われた場合には、ステップ１２０−５で設備状態履歴データベース１２を読み込み、ステップ１２０−６で操作者識別コードに応じた詳細情報を表示する。ステップ１２０−４で詳細情報の表示の指示入力がなくなれば終了する。
【００４２】
図８は、表示装置の画面構成例を示す図である。表示装置１５は文字、図の表示可能なコンピュータディスプレイタイプのものの使用が一般的であるが、一般情報や、履歴データベース１２の記録内容からビル設備の情報を表示する情報表示エリア１５−１が必要である。
【００４３】
エレベーターホールや乗りかご内に表示装置１５を設置する場合には、エレベーターの位置表示器を兼用して、エレベーター情報エリア１５−２があると好都合である。また行き先階釦２２やホール呼び釦２３を入力装置１６として兼用する場合には、釦数が少いため特殊な操作を必要とする場合が多く、表示装置１５に操作方法説明エリア１５−３がある便利である。
【００４４】
図９は、表示装置の表示文例を示す図である。異常発生からの一連の処理に対応し、図９（１）異常発生時、（２）作業中、（３）修理完了、といった処理を行う。
【００４５】
また、住人によるビル設備・機器の履歴確認操作に対しては、図９（４）のような履歴表示を行う。さらに前述ステップ２００−４の一過性異常に対しては図９（５）、ステップ２００−８の遠隔修正には図９（６）、ステップ２００−１０の軽微な異常には図９（７）のような表示を行う。
【００４６】
なお図９は説明のための一例であり、それぞれの状況に応じて好適な変更を加えることが望ましい。
【００４７】
以上の実施の形態においては、ビル毎に設置される管理装置１０と、前記ビルのエレベーターホール及び／又はエレベーター乗りかご２１内に設置される表示装置１５と、複数のビルの管理装置１０と接続される監視センタ４０とを備えたビル設備と昇降機の管理装置において、前記管理装置１０に設けられビル設備２０，３１〜３９の状態変化を記録する設備状態履歴データベース１２と、前記監視センタ４０に設けられビル毎の前記設備状態履歴データベース１２に対応するビル設備別データベース４２及び作業者毎の作業者別データベース４３と、前記ビル設備に対する作業内容と前記表示装置１５での表示要求とを入力するための入力装置１６と、この入力要求に応じて前記設備状態履歴データベース１２の内容を前記表示装置１５に表示する表示制御装置１４と、前記入力装置１６を介して入力された作業内容に応じて前記作業者別データベース４３を更新する記録制御手段（遠隔監視コントローラ４１内）を備えている。
【００４８】
本実施形態によれば、住人がビル設備の故障、修理等を容易に、選択的に表示視認することが可能となる。また、複数の会社、多数の作業者のサービスレベル把握が可能となり、住人に高度なサービスを提供し続けることが可能となる。さらに、一過性異常や遠隔修正などの、作業者が出動しない異常に関しても、住人に報告、情報開示することが可能となる。
【００４９】
上記した本発明の実施態様においては、特許請求の範囲に記載した外、以下のような特徴がある。
【００５０】
特徴１２：
ビル毎に設置される管理装置と、前記ビルのエレベーターホール及び／又はエレベーター乗りかご内に設置された入力装置と、複数のビルの管理装置と接続される監視センタとを備えたビル設備と昇降機の管理方法において、前記監視センタがビル設備別データベースと作業者別データベースとを備え、前記管理装置がビル設備の異常を監視センタに発報するステップと、前記監視センタが作業者の出動を決定するステップと、前記入力装置からの修理作業完了入力に応じて前記管理装置が前記入力データを監視センタに送信するステップと、前記監視センタが作業者別データベースの内容を更新するステップとを備えたことを特徴とするビル設備と昇降機の管理方法。
【００５１】
特徴１３：
特徴１２において、前記監視センタが作業者の出動を決定するステップが、前記作業者別データベースの記録内容に応じて出動する作業者を選択するステップを備えたことを特徴とするビル設備と昇降機の管理方法。
【００５２】
特徴１４：
ビル毎に設置される管理装置と、前記ビルのエレベーターホール及び／又はエレベーター乗りかご内に設置される表示装置と、複数のビルの管理装置と接続される監視センタとを備えたビル設備と昇降機の管理方法において、前記表示装置の近傍に設置され表示要求を入力するための入力装置を備え、前記管理装置が、ビル設備の異常を検知するステップと、異常を監視センタに発報するステップと、異常発生を表示装置に表示させるステップと、監視センタからの応答を受信するステップと、監視センタからの応答内容を表示装置に表示させるステップと、入力装置からの入力によりデータベースを更新するステップと、修理完了を表示装置に表示させるステップと、完了データを監視センタに送信するステップとを備えたことを特徴とするビル設備と昇降機の管理方法。
【００５３】
特徴１５：
ビル毎に設置される管理装置と、前記ビルのエレベーターホール及び／又はエレベーター乗りかご内に設置される表示装置と入力装置と、複数のビルの管理装置と接続される監視センタとを備えたビル設備と昇降機の管理方法において、前記監視センタが、前記管理装置からの異常発報を受信するステップと、異常内容を分析するステップと、作業者に出動を指示するステップと、異常に対する応答内容を管理装置へ送信するステップと、管理装置からの修理完了データを受信するステップと、作業者の作業内容を評価するステップと、作業者別データベースを更新するステップと、作業者又はその所属事業体への費用の支払い手続きを行うステップとを備えたことを特徴とするビル設備と昇降機の管理方法。
【００５４】
【発明の効果】
本発明によれば、住人がビル設備の故障、修理等を容易に、選択的に表示視認することが可能となる効果がある。
【図面の簡単な説明】
【図１】本発明の一実施の形態におけるビル設備と昇降機の管理装置のシステム構成図。
【図２】本発明の一実施の形態におけるビル設備と昇降機の管理方法の概要説明図。
【図３】本発明の一実施の形態における設備管理処理のプログラム例を示す図。
【図４】本発明の一実施の形態における修理中処理のプログラム例を示す図。
【図５】本発明の一実施の形態における監視センタでの異常分析処理プログラム例図。
【図６】本発明の一実施の形態における監視センタでの修理完了時処理プログラム例図。
【図７】本発明の一実施の形態における履歴確認処理のプログラム例を示す図。
【図８】本発明の一実施の形態における表示装置の画面構成例を示す図。
【図９】本発明の一実施の形態における表示装置の表示文例を示す図。
【符号の説明】
１０…管理装置、１１…管理コントローラ、１２…設備状態履歴データベース、１３…設備管理ネットワーク、１４…表示制御装置、１５…表示装置、１５−１…情報表示エリア、１５−２…エレベーター情報エリア、１５−３…操作方法説明エリア、１６…入力装置、２０…エレベーター制御装置、２１…乗りかご、２２…行き先階釦、２３…ホール呼び釦、３０…ビル設備制御装置、３１…電源設備、３２…ポンプ・水道設備、３３…照明、３４…空調、３５…入退出管理装置、３６…玄関ドア、３７…防災設備、３８…防犯カメラ、３９…駐車場設備、４０…監視センタ、４１…遠隔監視コントローラ、４２…ビル設備別データベース、４３…作業者別データベース、４４…通信回線、１００…設備管理処理、１１０…修理中処理、１２０…履歴確認処理、２００…異常分析処理、２１０…修理完了時処理。
【図１】
0004005328.tif 000002
【図２】
0004005328.tif 000003
【図３】
0004005328.tif 000004
【図４】
0004005328.tif 000005
【図５】
0004005328.tif 000006
【図６】
0004005328.tif 000007
【図７】
0004005328.tif 000008
【図８】
0004005328.tif 000009
【図９】
0004005328.tif 000010